(57)【要約】      （修正有）【課題】自動合焦機能を有する眼底カメラであっても、眼底周辺部位の撮影時に、鮮明な眼底像を得ることのできる眼底カメラを提供する。【解決手段】一対のスプリット指標の合致・非合致に基づき眼底像の合焦を判断する合焦判断回路４４、合焦判断回路４４の判断に基づいて合焦レンズ２３を光軸方向に駆動する駆動回路４３を備え、合焦判断回路４４は、眼底の周辺部位に対応する周辺部位画像が撮影により得られるように内部固視標を被検眼に呈示して周辺部位画像を撮影により得る際に内部固視標の呈示位置情報と記憶部４５に記憶された視度情報とに基づいて一対のスプリット指標が分離すべきであると予測される分離量だけ分離した状態に対応する位置に合焦レンズ２３が位置するように駆動回路４３を制御する。【選択図】図２
2009183496.tif 000002
【特許請求の範囲】
【請求項１】
眼底に内部固視標を投影する投影光学系と、一対のスプリット指標を投影する投影光学系と、該一対のスプリット指標の合致・非合致に基づき眼底像の合焦を判断する合焦判断回路と、該合焦判断回路の判断に基づいて合焦レンズを光軸方向に駆動する駆動回路と、前記眼底の後極部を含む中央部位に対応する中央部位画像が撮影により得られるように前記内部固視標を前記被検眼に呈示して前記中央部位画像を撮影により得る際に画像上で前記一対のスプリット指標が合致するように前記合焦レンズを光軸方向に移動させることにより自動合焦を行って該合焦レンズが眼底に合焦したときの前記合焦レンズの基準位置に対するずれ量を前記被検眼の視度情報として記憶する記憶部とを備え、
前記合焦判断回路は、前記眼底の周辺部位に対応する周辺部位画像が撮影により得られるように前記内部固視標を被検眼に呈示して前記周辺部位画像を撮影により得る際に前記内部固視標の呈示位置情報と前記記憶部に記憶された視度情報とに基づいて前記一対のスプリット指標が分離すべきであると予測される分離量だけ分離した状態に対応する位置に合焦レンズが位置するように前記駆動回路を制御することを特徴とする眼底カメラ。
【請求項２】
前記眼底像を画面上に表示するモニタを有し、該モニタの画面に一対のスプリット指標が分離した状態で合焦の完了を意味するマーク又は文字を表示することを特徴とする請求項１に記載の眼底カメラ。
【請求項３】
前記合焦判断回路には、前記固視標の呈示位置情報に拘わらず前記一対のスプリット指標が画像上で合致したときが眼底に対する合焦状態であると前記合焦判断回路に判断させる第１合焦判断切り換えボタンが接続されていることを特徴とする請求項１に記載の眼底カメラ。
【請求項４】
前記合焦判断回路には、前記固視標の呈示位置情報に拘わらず前記後極部を含む中央部位画像を撮影した際に得られた合焦レンズの位置に該合焦レンズを維持する第２合焦判断切り換えボタンが接続されていることを特徴とする請求項３に記載の眼底カメラ。
【発明の詳細な説明】
【技術分野】
【０００１】
本発明は、オートフォーカス機能を有する眼底カメラの改良に関する。
【背景技術】
【０００２】
従来から、眼底カメラには、眼底に固視標と一対のスプリット指標とを投影し、一対のスプリット指標の合致・非合致に基づき眼底像の合焦を判断し、一対のスプリット指標が合致するように自動的に合焦レンズを光軸方向に駆動する構成のものが知られている（例えば、特許文献１参照。）。
【特許文献１】特開２００７−１５１６５１号公報
【発明の開示】
【発明が解決しようとする課題】
【０００３】
ところで、通常、この種の眼底カメラでは、眼底の後極部を含む中央部位を撮影する際に、一対のスプリット指標が合致したときに合焦レンズが眼底に対して合焦するように設計されており、この一対のスプリット指標が合致したときに対応する合焦レンズの光軸方向の位置で、眼底の中央部位の眼底像が鮮明に得られるものとされている。
【０００４】
そして、この従来の眼底カメラでは、眼底の撮影部位に拘わらずスプリット指標が合致したときに、合焦レンズが眼底に対して合焦状態であると判断し、眼底の撮影部位に拘わらず、一対のスプリット指標が合致するように合焦レンズを移動させて、鮮明な眼底像が得られるように自動合焦を行っている。
【０００５】
しかしながら、眼底の周辺部位を撮影する際に、スプリット指標が合致した位置に対応する位置に合焦レンズを停止させて撮影を行うと、鮮明な眼底像が得られないことがある。
【０００６】
本発明は、上記の事情に鑑みて為されたもので、その目的とするところは、自動合焦機能を有する眼底カメラであっても、眼底周辺部位の撮影時に、鮮明な眼底像を得ることのできる眼底カメラを提供することにある。
【課題を解決するための手段】
【０００７】
本願の請求項１に記載の眼底カメラは、眼底に内部固視標を投影する投影光学系と、一対のスプリット指標を投影する投影光学系と、該一対のスプリット指標の合致・非合致に基づき眼底像の合焦を判断する合焦判断回路と、該合焦判断回路の判断に基づいて合焦レンズを光軸方向に駆動する駆動回路と、前記眼底の後極部を含む中央部位に対応する中央部位画像が撮影により得られるように前記内部固視標を前記被検眼に呈示して前記中央部位画像を撮影により得る際に画像上で前記一対のスプリット指標が合致するように前記合焦レンズを光軸方向に移動させることにより自動合焦を行って該合焦レンズが眼底に合焦したときの前記合焦レンズの基準位置に対するずれ量を前記被検眼の視度情報として記憶する記憶部とを備え、前記合焦判断回路は、前記眼底の周辺部位に対応する周辺部位画像が撮影により得られるように前記内部固視標を被検眼に呈示して前記周辺部位画像を撮影により得る際に前記内部固視標の呈示位置情報と前記記憶部に記憶された視度情報とに基づいて前記一対のスプリット指標が分離すべきであると予測される分離量だけ分離した状態に対応する位置に合焦レンズが位置するように前記駆動回路を制御することを特徴とする。
【０００８】
本願の請求項２に記載の眼底カメラは、前記眼底像を画面上に表示するモニタを有し、該モニタの画面に一対のスプリット指標が分離した状態で合焦の完了を意味するマーク又は文字を表示することを特徴とする。
【０００９】
本願の請求項３に記載の眼底カメラは、前記合焦判断回路には、前記固視標の呈示位置情報に拘わらず前記一対のスプリット指標が画像上で合致したときが眼底に対する合焦状態であると前記合焦判断回路に判断させる第１合焦判断切り換えボタンが接続されていることを特徴とする。
【００１０】
本願の請求項４に記載の眼底カメラは、前記合焦判断回路には、前記固視標の呈示位置情報に拘わらず前記後極部を含む中央部位画像を撮影した際に得られた合焦レンズの位置に合焦レンズを維持する第２合焦判断切り換えボタンが接続されていることを特徴とする。
【発明の効果】
【００１１】
本願の請求項１ないし請求項４に記載の眼底カメラによれば、自動合焦機能を有する眼底カメラであっても、眼底周辺部位の撮影時に、鮮明なピントの合った眼底像を得ることができるという効果を奏する。
【発明を実施するための最良の形態】
【００１２】
以下に、本発明の実施の形態を図面を参照しつつ説明する。
【実施例】
【００１３】
図１は、本発明に係わる無散瞳タイプの眼底カメラ１の概要を示す説明図である。この図１において、符号１はベース、符号２は架台、符号３は装置本体、符号４は顎受け、符号５は額当て、６は外部固視灯、符号７はジョイスティック、符号８は撮影スイッチ、符号９は操作パネル、符号１０は合焦ハンドル、符号１１はテレビカメラである。
【００１４】
この眼底カメラ１には、図２に示すように、被検眼Ｅの眼底Ｅｆを照明するための照明光学系１２、眼底Ｅｆを観察するための撮影光学系１３、眼底Ｅｆを観察するための観察光学系１４、被検眼Ｅに対する装置本体３の位置合わせを行うためのアライメント光学系１５、眼底Ｅｆに固視標を投影して被検眼Ｅを固視させるための内部固視標投影光学系１６、被検眼Ｅの眼底Ｅｆに一対のスプリット指標を投影するスプリット指標投影光学系１７とが配設されている。
【００１５】
照明光学系１２は、図示を略すハロゲンランプ、キセノンランプ、コンデンサレンズ１８、投影レンズ１９、２０、穴あきミラー２１等から大略構成され、観察時にはリング状の赤外光により眼底Ｅｆを対物レンズ２２を介して照明し、撮影時にはリング状の可視光により対物レンズ２２を介して眼底Ｅｆを照明する。
【００１６】
撮影光学系１３は、対物レンズ２２、穴あきミラー２１、合焦レンズ２３、三角プリズム２４、フィールドレンズ２５、ＴＶリレーレンズ２６、テレビカメラ１１の一部を構成するＣＣＤカメラ１１Ａから大略構成されている。そのＣＣＤカメラ１１Ａは図示を略すスチルビデオレコーダを介してモニタ２７に接続されている。
【００１７】
観察光学系１４は、撮影光学系１３から分岐して設けられ、クイックリターンミラー２８、全反射ミラー２９、ＴＶリレーレンズ３０、テレビカメラ１１の一部を構成するＣＣＤカメラ１１Ｂから大略構成されている。そのＣＣＤカメラ１１Ｂは図示を略すスチルビデオレコーダを介してモニタ２７に接続されている。
【００１８】
アライメント投影光学系１５は、アライメント光源としてのＬＥＤ３１、２孔絞り板３２、投影レンズ３３、ハーフミラー３４から大略構成され、被検眼Ｅの眼底Ｅｆに一対のアライメント指標を投影する。被検眼Ｅに対する作動距離Ｗ（図２参照）が適正でかつ装置本体３に対する上下左右方向の位置が適正のとき、図３に示すように、モニタ２７の画面２７ａには、一対のアライメント指標１５ａ、１５ａが眼底Ｅｆ上で合致した眼底像が表示される。なお、その図３において、符号３５は、モニタ２７の画面２７ａに表示されたアライメントマーク（括弧マーク）、符号Ｐｒは乳頭、符号Ｂｌは血管、符号Ｂｐは後極部である。このアライメントマーク３５は画面２７ａの中央位置に表示される。また、符号Ｇ１は眼底Ｅｆの後極部（黄斑部）Ｂｐを含む中央部位に対応する中央部位画像を示し、対物レンズ２２の光軸は後極部Ｂｐの中央に概略一致している。
【００１９】
内部固視標投影光学系１６は、内部固視灯３０ａ〜３０ｅ、投影レンズ３６、ハーフミラー３７、クイックリターンミラー２８から大略構成されている。操作パネル９には、図４に示すように、ジョイスティック７を境に右側操作パネル９Ａと左側操作パネル９Ｂとが設けられている。ここでは、右側操作パネル９Ａに固視標操作ボタン３８ａ〜３８ｅが設けられている。
【００２０】
固視標操作ボタン３８ａは内部固視灯３０ａの点灯、固視標操作ボタン３８ｂは内部固視灯３０ｂの点灯、固視標操作ボタン３８ｃは内部固視灯３０ｃの点灯、固視標操作ボタン３８ｄは内部固視灯３０ｄの点灯、固視標操作ボタン３８ｅは内部固視灯３０ｅの点灯に用いられ、各内部固視灯３０ａ〜３０ｅは固視標操作ボタン３８ａ〜３８ｅの操作により駆動される点灯回路（図示を略す）により点灯制御される。
【００２１】
被検眼Ｅは内部固視標により装置本体部３に対して固定される。内部固視灯３０ａは、図３に示すように、眼底Ｅｒの後極部（黄斑部）Ｂｐを含む中央部位に対応する中央部位画像Ｇ１を撮影するのに用いられる。内部固視灯３０ｂ〜３０ｅは、図５に示すように、眼底Ｅｒの周辺部位に対応する周辺部位画像Ｇ２を撮影するのに用いられる。
【００２２】
スプリット指標投影光学系１７は、照明光学系１２から分岐して設けられている。このスプリット指標投影系１７は、指標棒ミラー３９、投影レンズ４０、反射ミラー４１、一対のスプリット指標光を形成するための穴空き板４２、スプリット光源等から構成されている（その詳細構成は、例えば、特開平９−６６０３２号公報参照）。
【００２３】
スプリット指標投影光学系１７は、図２に矢印で示すように、照明光学系１２の光軸方向に可動可能とされ、合焦レンズ２３と連動可能に設計されている。その一対のスプリット指標１７ａ、１７ａは、図３に示すように、被検眼Ｅが正視眼でかつ眼底Ｅｒの後極部（黄斑部）Ｂｐを含む中央部位に対応する中央部位画像Ｇ１を撮影により得る際に、互いに合致するように設計されている。合焦レンズ２３は、被検眼Ｅが正視眼でかつ眼底Ｅｒの後極部（黄斑部）Ｂｐを含む中央部位に対応する中央部位画像Ｇ１を撮影により得る際に基準位置Ｏｐに位置されている。被検眼Ｅが正視眼でないときには、合焦レンズ２３が基準位置Ｏｐにあるとき、図６に示すように、一対のスプリット指標１７ａ、１７ａはスプリットしている。
【００２４】
そのスプリット指標投影光学系１７と合焦レンズ２３とは、図２に示す駆動回路４３によって光軸方向に駆動される。その合焦レンズ２３は−１５Ｄ（ディオプター）から＋１５Ｄ（ディオプター）の範囲で視度補正可能である。
【００２５】
装置本体部３には合焦判断回路４４、記憶部４５が設けられている。合焦判断回路４４は一対のスプリット指標１７ａ、１７ａの合致・非合致に基づき眼底像の合焦を判断する機能を有し、合焦判断回路４４にはＣＣＤカメラ１１Ｂから映像信号が入力されている。
【００２６】
合焦判断回路４４は、後述する第１合焦判断切り換えボタンＢ１、第２合焦判断切り換えボタンＢ２がオフのとき、以下の処理を行う。
【００２７】
すなわち、一対のスプリット指標１７ａ、１７ａが図６に示すようにずれているとき、合焦判断回路４４は、図７に拡大して示すように、一対のスプリット指標１７ａと一対のスプリット指標１７ａとのズレ量δを特定走査線Ｓ１、Ｓ２に基づき演算し、このズレ量δがゼロとなるように、駆動回路４３を駆動する。これにより、合焦レンズ２３が撮影光学系１３の光軸方向に駆動され、スプリット指標投影光学系１７が照明光学系１２の光軸方向に駆動される。その結果、一対のスプリット指標１７ａ、１７ａが図３に示すように合致され、合焦レンズ２３はその合致位置で駆動が停止される。この合焦レンズ２３の基準位置Ｏｐからのズレ量Δが被検眼Ｅの視度情報として記憶部４５に記憶される。
【００２８】
すなわち、記憶部４５は眼底Ｅｒの後極部Ｂｐを含む中央部位に対応する中央部位画像Ｇ１が撮影により得られるように内部固視灯３０ａを被検眼Ｅに呈示して中央部位画像Ｇ１を撮影により得る際に画像上で一対のスプリット指標１７ａ、１７ａが合致するように合焦レンズ２３を撮影光学系１３の光軸方向（矢印Ｚ方向）に移動させることにより自動合焦を行って合焦レンズ２３が眼底Ｅｒに合焦したときの合焦レンズ２３の基準位置Ｏｐに対するずれ量Δを被検眼Ｅの視度情報として記憶する。
【００２９】
また、合焦判断回路４４は、眼底Ｅｒの周辺部位に対応する周辺部位画像Ｇ２が撮影により得られるように内部固視灯３０ｂ〜３０ｅを被検眼Ｅに呈示して周辺部位画像Ｇ２を撮影により得る際に内部固視標の呈示位置情報と記憶部４５に記憶された視度情報とに基づいて一対のスプリット指標１７ａ、１７ａが分離すべきであると予測される分離量だけ分離した状態に対応する位置に合焦レンズ２３が位置するように駆動回路４３を制御する。固視標操作ボタン３８ａ〜３８ｅのオン情報は固視標の呈示位置情報として、合焦判断回路４４に入力される。被検眼Ｅの視度情報に対応する一対のスプリット指標１７ａ、１７ａの分離量は、例えば、実験により求め、予め記憶部４５に視度情報に対応する分離量として記憶させておく。
【００３０】
その合焦判断回路４４には、固視標の呈示位置情報に拘わらず一対のスプリット指標１７ａ、１７ａが画面上で合致したときが眼底Ｅｒに対する合焦状態であると合焦判断回路４４に判断させる第１合焦判断切り換えボタンＢ１と、固視標の呈示位置情報に拘わらず後極部Ｂｐを含む中央部位画像Ｇ１を撮影した際に得られた合焦レンズ２３の位置に合焦レンズ２３を維持する第２合焦判断切り換えボタンＢ２とが接続されている。
【００３１】
次に、本発明に係わる眼底カメラの作用を図８を参照しつつ説明する。
【００３２】
合焦判断回路４４は、スプリット分離モードに設定されているかを判断する（Ｓ．１）。合焦判断回路４４は第１合焦判断切り換えボタンＢ１、第２合焦判断切り換えボタンＢ２がいずれもオフのとき、イエスと判定する。
【００３３】
合焦判断回路４４は、イエスのとき、スプリット分離モードに設定する（Ｓ．２）。眼底Ｅｒの後極部（黄斑部）Ｂｐを含む中央部位に対応する中央部位画像Ｇ１を撮影するオートフォーカスを実行する（Ｓ．３、Ｓ．４）。記憶部４５は、この眼底Ｅｒの後極部（黄斑部）Ｂｐを含む中央部位に対応する中央部位画像Ｇ１の撮影時の合焦レンズ２３の基準位置からのズレ量Δを被検眼Ｅの視度情報として記憶する（Ｓ．５）。
【００３４】
次に、内部固視灯３０ｂ〜３０ｅのいずれかを点灯させることにより、内部固視標を被検眼の周辺部位にセットする（Ｓ．６）。
【００３５】
次に、合焦判断回路４４は、内部固視標の呈示位置情報と記憶部４５に記憶された視度情報とに基づいて一対のスプリット指標が分離すべきであると予測される分離量だけ分離した状態に対応する位置に合焦レンズ２３が位置するように駆動回路４３を制御する（Ｓ．７）。一対のスプリット指標が分離すべきであると予測される分離量だけ分離した状態に対応する位置に合焦レンズ２３が位置されたとき、モニタ２７の画面２７ａに合焦完了を意味するマーク又は文字が表示される。
【００３６】
次に、撮影スイッチ８の操作により被検眼Ｅの周辺部位画像Ｇ２の撮影を実行する（Ｓ．８）。これにより、例えば、図５に示すような周辺部位画像Ｇ２が得られる。次に、撮影者は撮影された周辺部位画像Ｇ２が鮮明であるか否かを判断する（Ｓ．９）。
【００３７】
撮影された周辺部位画像Ｇ２が鮮明な場合には、眼底の別の周辺部位画像の撮影を行うか否かを判断する（Ｓ．１０）。
【００３８】
眼底の別の周辺部位の撮影を行いたいときには、その周辺部位に対応する内部固視標を点灯させる（Ｓ．１１）。ついで、Ｓ．７に戻って、被検眼Ｅの視度、固視位置情報によりスプリットを分離させ、Ｓ．７〜Ｓ１１の処理を行う。なお、ここでは、内部固視標の点灯の切り換えによって固視標の呈示位置を変更することにしたが、内部固視標の移動により固視標の呈示位置を変更しても良い。また、内部固視灯の個数をここでは５個として説明したが、これに限るものではない。
【００３９】
眼底Ｅｆの周辺部位の撮影により得られた周辺部位画像Ｇ２が鮮明な場合には、Ｓ．７〜Ｓ．１１の処理を繰り返し実行する。眼底Ｅｆの周辺部位の撮影を行わないときには、周辺撮影を終了する。
【００４０】
Ｓ．９において、撮影された周辺部位画像Ｇ２が鮮明でないと判断された場合には、Ｓ．１２に移行する。
【００４１】
Ｓ．１２では、合焦判断回路４４は、通常オートフォーカスモードに設定されているか否かを判断する。第１合焦判断切り換えボタンＢ１をオンさせると、合焦判断回路４４はイエスと判断する。これにより、合焦判断回路４４は通常オートフォーカスモードになる（Ｓ．１３）。すなわち、合焦判断回路４４は、固視標の呈示位置情報に拘わらず一対のスプリット指標が画像上で合致したときが眼底Ｅｆに対する合焦状態であると判断する。
【００４２】
次に、内部固視標を周辺部位に対応する位置に設定する（Ｓ．１４）。合焦判断回路４４はオートフォーカス処理を実行する（Ｓ．１５）。この通常オートフォーカスモードでは、合焦判断回路４４は、眼底の周辺部位の撮影の際に、一対のスプリット指標が合致するように、駆動回路４３を制御する。ついで、撮影スイッチ８の操作により眼底Ｅｒの周辺部位の撮影を実行する（Ｓ．１６）。
【００４３】
次に、撮影者は周辺部位画像Ｇ２が鮮明であるか否かを判断する（Ｓ．１７）。
周辺部位画像Ｇ２がピントの合った鮮明な画像であると判断された場合には、眼底Ｅｆの別の周辺部位を撮影するか否かを判断する（Ｓ．１８）。眼底Ｅｆの別の周辺部位を撮影する場合には、別の周辺部位に対応する内部固視標を点灯させる（Ｓ．１９）。そして、Ｓ．１６に戻って、Ｓ．１６〜Ｓ．１９の処理を繰り返し実行する。眼底の別の周辺部位を撮影しない場合には、周辺部位の撮影を終了する。
【００４４】
Ｓ．１７において、鮮明な眼底像が得られなかった場合には、スプリット固定モードにするか否かを判断する（Ｓ．２０）。第２合焦判断切り換えボタンＢ２をオンさせると、合焦判断回路４４はイエスと判断する。これにより、合焦判断回路４４はスプリット固定モードになる（Ｓ．２１）。合焦判断回路４４は、ノーの場合、スタートへ移行する。
【００４５】
すなわち、固視標の呈示位置情報に拘わらず後極部Ｂｐを含む中央部位画像Ｇ１を撮影した際に得られた合焦レンズ２３の位置に合焦レンズ２３を維持するモードとなる。
【００４６】
次に、合焦判断回路４４は、記憶部４５が被検眼Ｅの視度情報を記憶しているか否かを判断する（Ｓ．２２）。記憶部４５が被検眼Ｅの視度情報を記憶していない場合には、眼底Ｅｆの後極部Ｂｐを含む中央部位に対応する中央部位画像Ｇ１が撮影により得られるように内部固視灯３０ａを被検眼Ｅに呈示して中央部位画像Ｇ１を撮影により得る際に画像上で一対のスプリット指標１７ａ、１７ａが合致するように合焦レンズ２３を光軸方向に移動させることにより自動合焦を行う（Ｓ．２３）。次に、撮影スイッチ８の操作により撮影を行う（Ｓ．２４）。記憶部４５は、合焦レンズ２３が眼底Ｅｆに合焦したときの合焦レンズ２３の基準位置Ｏｐに対するずれ量Δを被検眼Ｅの視度情報として記憶する（Ｓ．２５）。
【００４７】
次に、内部固視標を周辺部位に対応する位置に設定する（Ｓ．２６）。記憶部４５が被検眼の視度情報を記憶しているときには、Ｓ．２３〜Ｓ．２５の処理をジャンプして、Ｓ．２６に移行する。
【００４８】
合焦レンズ２３は、固視標の呈示位置情報に拘わらず後極部Ｂｐを含む中央部位画像Ｇ１を撮影した際に得られた合焦レンズ２３の位置に維持される（Ｓ．２７）。更に詳述すると、合焦レンズ２３は基準位置Ｏｐからズレ量Δだけずれた位置に保持される。
【００４９】
次に、撮影スイッチ８の操作により撮影を行う（Ｓ．２８）。ついで、撮影者は、撮影した周辺部位画像Ｇ２が鮮明に得られたか否かを判断する（Ｓ．２９）。撮影した周辺部位画像Ｇ２が鮮明でないと判断したときには、Ｓ．１に戻って、撮影を再度行う。
【００５０】
撮影した周辺部位画像Ｇ２が鮮明であると判断したときには、眼底の別の周辺部位を撮影するか否かを判断する（Ｓ．３０）。
【００５１】
眼底の別の周辺部位を撮影する場合には、眼底の別の周辺部位に対応する内部固視標を点灯させる（Ｓ．３１）。そして、Ｓ．２７に戻って、Ｓ．２７〜Ｓ．３１の処理を繰り返し実行する。眼底の別の周辺部位を撮影しない場合には、周辺部位の撮影を終了する。
【図面の簡単な説明】
【００５２】
【図１】本発明に係わる眼底カメラの外観構成を示す概略図である。
【図２】本発明に係わる眼底カメラの光学系を示す概略図である。
【図３】眼底の後極部（黄斑部）を含む中央部位に対応する中央部位画像を示す説明図であって、一対のアライメント像及びスプリット指標像が合致している状態を示す図である。
【図４】図１に示す眼底カメラの操作パネル部分の拡大図である。
【図５】眼底の周辺部位に対応する周辺部位画像の説明図である。
【図６】眼底の後極部（黄斑部）を含む中央部位に対応する中央部位画像を示す説明図であって、一対のスプリット指標像が分離している状態を示す図である。
【図７】一対のスプリット指標像の分離・合致の判断方法の一例を説明するための説明図である。
【図８】本発明に係わる眼底カメラの作用を説明するためのフローチャート図である。
【符号の説明】
【００５３】
１６、１７…投影光学系
２３…合焦レンズ
４４…合焦判断回路
４５…記憶部
【図１】
2009183496.tif 000003
【図２】
2009183496.tif 000004
【図３】
2009183496.tif 000005
【図４】
2009183496.tif 000006
【図５】
2009183496.tif 000007
【図６】
2009183496.tif 000008
【図７】
2009183496.tif 000009
【図８】
2009183496.tif 000010